(57)【特許請求の範囲】
【請求項１】
天井面又は壁面への表面パネルの取付構造であって、
被設置面に予め固定する取り付けベースプレートにスライド係合受け部が設けられ、前記表面パネルの背面側にスライド係合部が設けられて、取り付けベースプレートに表面パネルを密着させた状態で、表面パネルを取り付けベースプレートの所定の位置までスライド操作した時に、表面パネルのスライド係合部が取り付けベースプレートのスライド係合受け部に係合することで、取り付けベースプレートに表面パネルが取り付けられる一方、
前記被設置面と表面パネルのいずれか一方に、凸部を有するばね部材が設けられ、他方に、このばね部材の凸部が嵌り込み可能な穴部若しくは凹部が形成されて、表面パネルが取り付けベースプレートの所定の位置までスライド操作された時に、ばね部材の凸部が穴部若しくは凹部に嵌まり込むことを特徴とする表面パネル取付構造。
【請求項２】
前記表面パネルが取り付けベースプレートの所定の位置までスライド操作された後に、スライド方向に隣り合う表面パネルの間の隙間に挿入可能なストッパー兼目地部材が設けられ、このストッパー兼目地部材は、被設置面側に着脱可能に固定されることを特徴とする請求項１に記載の表面パネル取付構造。
【発明の詳細な説明】
【技術分野】
【０００１】
本発明は、表面パネル取付構造に関する。
【背景技術】
【０００２】
従来、天井面又は壁面の被設置面に、例えばデザインされた表面パネルを取り付ける場合には、接着剤や目立たない細い釘、タッカー等で取り付ける方法がある。
【０００３】
また、被設置面に表面パネルをねじで取り付ける場合には、表面パネルにねじ用穴をあけてねじ止め固定し、その後に、目隠し部材でねじ用穴を塞ぐ方法、あるいは被設置面の周囲に形成したフランジにねじ用穴をあけてねじ止め固定し、その後に、周囲のフランジを隠すために額縁部材を固定する方法がある。
【０００４】
さらに、被設置面に固定した固定係合爪部材に表面パネル（天井板）の係合溝を嵌め込んで、可動係合爪部材を固定係合爪部材から離間させるようにスライドさせることで、被設置面に表面パネルを取り付ける方法がある（特許文献１参照）。
【特許文献１】特開平５−１４８９４３号公報
【発明の開示】
【発明が解決しようとする課題】
【０００５】
しかしながら、接着等の方法では、表面パネルを交換等する際に、表面パネルを傷付けずに、迅速に被設置面から取り外すことが非常に困難である。
【０００６】
また、ねじ止めの方法では、表面パネルの表面の目隠し部材や表面パネルの周囲の額縁部材が目立つのでデザイン性を損ないやすいうえに、ねじ止め作業等が煩わしくて、表面パネルの取り付け・取り外しが簡単かつ迅速に行えないという問題がある。
【０００７】
さらに、可動係合爪の方法では、構造が複雑であるうえ、スライド作業等が煩わしくて、表面パネルの取り付け・取り外しが簡単かつ迅速に行えないという問題がある。
【０００８】
本発明は、前記問題を解消するためになされたもので、表面パネルを簡単かつ迅速に取り付け・取り外すことができる表面パネル取付構造を提供することを目的とするものである。
【課題を解決するための手段】
【０００９】
前記課題を解決するために、本発明は、天井面又は壁面への表面パネルの取付構造であって、被設置面に予め固定する取り付けベースプレートにスライド係合受け部が設けられ、前記表面パネルの背面側にスライド係合部が設けられて、取り付けベースプレートに表面パネルを密着させた状態で、表面パネルを取り付けベースプレートの所定の位置までスライド操作した時に、表面パネルのスライド係合部が取り付けベースプレートのスライド係合受け部に係合することで、取り付けベースプレートに表面パネルが取り付けられる一方、前記被設置面と表面パネルのいずれか一方に、凸部を有するばね部材が設けられ、他方に、このばね部材の凸部が嵌り込み可能な穴部若しくは凹部が形成されて、表面パネルが取り付けベースプレートの所定の位置までスライド操作された時に、ばね部材の凸部が穴部若しくは凹部に嵌まり込むことを特徴とする表面パネル取付構造を提供するものである。
【００１１】
請求項２のように、前記表面パネルが取り付けベースプレートの所定の位置までスライド操作された後に、スライド方向に隣り合う表面パネルの間の隙間に挿入可能なストッパー兼目地部材が設けられ、このストッパー兼目地部材は、被設置面側に着脱可能に固定されるようにすることが好ましい。
【発明の効果】
【００１２】
本発明によれば、被設置面に予め固定された取り付けベースプレートに表面パネルを密着させた状態で、表面パネルを取り付けベースプレートの所定の位置までスライド操作すれば、表面パネルのスライド係合部が取り付けベースプレートのスライド係合受け部に係合するから、被設置面の取り付けベースプレートに、表面パネルをスライド操作するだけで簡単かつ迅速に取り付けることができる。また、表面パネルを反対方向にスライド操作すれば、表面パネルのスライド係合部を取り付けベースプレートのスライド係合受け部から抜き外すこともできるので、表面パネルを簡単かつ迅速に取り外すことができるようになる。
【００１３】
また、面パネルを取り付けベースプレートの所定の位置までスライド操作した時に、ばね部材の凸部が穴部等に嵌まり込むから、そのクリック感により、表面パネルのスライド係合部が取り付けベースプレートのスライド係合受け部に係合したことが確認できるので、表面パネルを取り付けベースプレートの所定の位置に正確にスライド操作することができる。また、ばね部材の凸部が穴部等に嵌まり込むことで、表面パネルのスライド係合部が取り付けベースプレートのスライド係合受け部から抜け外れることを簡易的に防止できるようになる。
【００１４】
請求項２によれば、表面パネルが取り付けベースプレートの所定の位置までスライド操作された後に、ストッパー兼目地部材をスライド方向に隣り合う表面パネルの間の隙間に挿入して被設置面側に固定すれば、表面パネルがスライドできなくなるので、表面パネルのスライド係合部が取り付けベースプレートのスライド係合受け部から抜け外れることを確実に防止できるようになる。また、ストッパー兼目地部材を表面パネルの間の隙間から抜き取れば、表面パネルをスライド操作できるようになるので、表面パネルのスライド係合部を取り付けベースプレートのスライド係合受け部から抜き外すことで、表面パネルを簡単かつ迅速に取り外すことができるようになる。
【発明を実施するための最良の形態】
【００１５】
以下、本発明を実施するための最良の形態について、図面を参照しながら詳細に説明する。
【００１６】
図１に示すように、建物内の天井下地材（被設置面）１の下面には、取り付けベースプレート２を介して、複数枚の表面パネル３が一定の隙間Ｔを隔てて取り付けられている。この取り付けベースプレート２と表面パネル３は、例えば３０〜４５ｃｍ角程度の四角形状に形成されている。
【００１７】
金属製の取り付けベースプレート２は、その外周囲に形成された複数個の小孔２ａを利用して、天井下地材１に予めねじや釘等で固定されている。なお、取り付けベースプレート２の中央に形成された角穴２ｂは、後述するように、表面パネル３にスピーカーや照明器具等を組み込んだ場合、スピーカーの加振器や照明器具の安定器等を上方に突出させるためのものである。
【００１８】
取り付けベースプレート２には、その四隅の近傍にスライド係合受け部２ｃが設けられている。このスライド係合受け部２ｃは、図２（ａ）および図３に詳細に示すように、金属板の一部を下向きに切り起こして、内向きＬ字状に形成されている。
【００１９】
このスライド係合受け部２ｃの近傍には、四角形状の穴部（上向きの凹部でも可）２ｄがそれぞれ形成されている。
【００２０】
表面パネル３は、表面（下面）が彩色や模様等で化粧されたものであり、木質材、樹脂材、セラミック材、これらの複合材等で製造されている。この表面パネル３の裏面（上面）で、取り付けベースプレート２のスライド係合受け部２ｃに対応した位置には、金具４が固定され、この金具４にスライド係合部４ａが設けられている。このスライド係合部４ａは、図２（ａ）および図３に詳細に示すように、金具４の一部を上向きに切り起こして、外向きＬ字状に形成されていて、表面パネル３をスライド操作することで、スライド係合部４ａが取り付けベースプレート２のスライド係合受け部２ｃに係合できるようになっている。
【００２１】
このスライド係合部４ａの近傍の表面パネル３の裏面で、取り付けベースプレート２の穴部２ｄに対応した位置には、凸部６ａを有するばね部材６が設けられ、表面パネル３を取り付けベースプレート２の所定の位置までスライド操作した時に、ばね部材６の凸部６ａが取り付けベースプレート２の穴部２ｄに嵌まり込むようになっている。
【００２２】
前記のような表面パネル取付構造であれば、天井下地材１に予め固定された取り付けベースプレート２に、表面パネル３を押し付けて密着させた状態で〔図２（ａ）の矢印のａ部分参照〕、表面パネル３を取り付けベースプレート２の所定の位置までスライド操作すれば〔図２（ａ）の矢印のｂ部分参照〕、図２（ｂ）のように、表面パネル３のスライド係合部４ａが取り付けベースプレート２のスライド係合受け部２ｃに係合するから、天井下地材１の取り付けベースプレート２に、表面パネル３をスライド操作するだけで簡単かつ迅速に取り付けることができる。
【００２３】
また、表面パネル３を反対方向にスライド操作すれば、表面パネル３のスライド係合部４ａを取り付けベースプレート２のスライド係合受け部２ｃから抜き外すこともできるので、表面パネル３を簡単かつ迅速に取り外すことができるようになる。
【００２４】
さらに、表面パネル３を取り付けベースプレート２の所定の位置までスライド操作した時に、ばね部材６の凸部６ａが取り付けベースプレート２の穴部２ｄに嵌まり込むから、そのクリック感により、表面パネル３のスライド係合部４ａが取り付けベースプレート２のスライド係合受け部２ｃに係合したことが確認できるので、表面パネル３を取り付けベースプレート２の所定の位置に正確にスライド操作することができる。
【００２５】
また、ばね部材６の凸部６ａが穴部２ｄに嵌まり込むことで、表面パネル３のスライド係合部４ａが取り付けベースプレート２のスライド係合受け部２ｃから抜け外れることを簡易的に防止できるようになる。
【００２６】
一方、図１（ｂ）のように、表面パネル３が取り付けベースプレート２の所定の位置までスライド操作された後に、スライド方向に隣り合う表面パネル３の間の隙間Ｔにストッパー兼目地部材７を挿入して天井下地材１側に固定すれば、表面パネル３がスライドできなくなるので（矢印ｃ参照）、表面パネル３のスライド係合部４ａが取り付けベースプレート２のスライド係合受け部２ｃから抜け外れことを確実に防止できるようになる。
【００２７】
ここで、天井下地材１側にストッパー兼目地部材７を表面パネル３よりも先に固定すれば、表面パネル３がスライドできなくなるので、表面パネル３のスライド係合部４ａを取り付けベースプレート２のスライド係合受け部２ｃに係合させることができなくなる。
【００２８】
そこで、図４に示すように、ストッパー兼目地部材７を上下に２分割して、天井下地材１側に固定する上部分７ａに凹部７ｃを形成するとともに、この凹部７ｃに着脱可能な凸部７ｄを下部分７ｂに形成する。また、上部分７ａは、天井下地材１側に固定した状態で、表面パネル３のスライド操作を妨げない高さに設定する。
【００２９】
このようにストッパー兼目地部材７を構成すれば、天井下地材１側に上部分７ａが固定された状態で、表面パネル３が取り付けベースプレート２の所定の位置までスライド操作された後に、ストッパー兼目地部材７の下部分７ｂをスライド方向に隣り合う表面パネル３の間の隙間Ｔに挿入して、下部分７ｂの凸部７ｄを、これに対応する上部分７ａの凹部７ｃに無理入れで嵌合することで、天井下地材１側に固定すれば、図１（ｂ）の構成と同様に、表面パネル３がスライドできなくなるので、表面パネル３のスライド係合部４ａが取り付けベースプレート２のスライド係合受け部２ｃから抜け外れることを確実に防止できるようになる。
【００３０】
それに加えて、ストッパー兼目地部材７の下部分７ｂを下方に引っ張る等して、上部分７ａの凹部７ｃから下部分７ｂの凸部７ｄを無理に引き抜きながら、下部分７ｂを表面パネル３の間の隙間Ｔから抜き取れば、図４のように、表面パネル３をスライド操作できるようになるので（矢印ｃ参照）、表面パネル３のスライド係合部４ａを取り付けベースプレート２のスライド係合受け部２ｃから抜き外すことで、表面パネル３を簡単かつ迅速に取り外すことができるようになる。
【００３１】
前記実施形態では、被設置面として天井下地材１の取り付けベースプレート２に表面パネル３を取り付けたが、天井材自体、壁材若しくはこれらの下地材等に表面パネル３を取り付けることもできる。
【００３２】
前記実施形態では、表面パネル３は、表面（下面）が彩色や模様等で化粧されたものであったが、例えば、スピーカーや照明器具を組み込んだ表面パネル３とすることができる。この場合には、表面パネル３を簡単かつ迅速に取り外せるので、メンテナンスが容易に行えるようになる。
【図面の簡単な説明】
【００３３】
【図１】本発明の実施形態の表面パネル取付構造であり、（ａ）は取り付けベースプレートと表面パネルの取り付け前の斜視図、（ｂ）は天井下地材に取り付け後の断面図である。
【図２】取り付けベースプレートのスライド係合受け部と表面パネルのスライド係合部であり、（ａ）は取り付け前の斜視図、（ｂ）は取り付け後の斜視図である。
【図３】取り付けベースプレートのスライド係合受け部と表面パネルのスライド係合部の要部拡大斜視図である。
【図４】ストッパー兼目地部材の断面図である。
【符号の説明】
【００３４】
１    天井下地材（被設置面）
２    取り付けベースプレート
２ｃ  スライド係合受け部
２ｄ  穴部
３    表面パネル
４    金具
４ａ  スライド係合部
６    ばね部材
６ａ  凸部
７    ストッパー兼目地部材
７ａ  上部分
７ｂ  下部分
７ｃ  凹部
７ｄ  凸部
Ｔ    隙間
【図１】
0004915591.tif 000002
【図２】
0004915591.tif 000003
【図３】
0004915591.tif 000004
【図４】
0004915591.tif 000005